(57)【要約】【課題】戸を開いた際に開口部を広く形成して収納物の出し入れがし易くなるとともに、収納庫の奥行きを狭くすることなく天井まで収納部を形成することができる収納庫の開口部構造を提供する。【解決手段】壁に備え付けの収納庫の両側にそれぞれ外側に開く片開き戸２ａ，２ｂが設けられ、片開き戸２ａ，２ｂとの間に引き戸３ａ，３ｂが配置される収納庫の開口部構造であって、片開き戸２ａ，２ｂ及び引き戸３ａ，３ｂは閉めた際に表側が面一になるように配置され、引き戸３ａ，３ｂは片開き戸２ａ，２ｂが開いた際に収納庫の両側へ移動可能に設けられている。【選択図】図３
0003113636.tif 000002
【実用新案登録請求の範囲】
【請求項１】
壁に備え付けの収納庫の両側にそれぞれ外側に開く片開き戸が設けられ、片開き戸との間に引き戸が配置され、前記片開き戸及び前記引き戸は閉めた際に表側が面一になるように配置され、前記引き戸は前記片開き戸が開いた際に収納庫の両側へ移動可能に設けられていることを特徴とする壁に備え付けの収納庫の開口部構造。
【請求項２】
２枚以上の引き戸が配置されることを特徴とする請求項１記載の壁に備え付けの収納庫の開口部構造。
【請求項３】
片開き戸及び引き戸の端部に片開き戸及び引き戸をしめた際に重なる互い違いの段部を設けたことを特徴とする請求項１又は２記載の壁に備え付けの収納庫の開口部構造。
【請求項４】
片開き戸及び引き戸の端部にパッキンを設けたことを特徴とする請求項１又は２記載の壁に備え付けの収納庫の開口部構造。
【請求項５】
片開き戸及び引き戸の対向する端部に閉めた片開き戸及び引き戸を係止する係止部材を設けたことを特徴とする請求項１、２、３又は４記載の壁に備え付けの収納庫の開口部構造。
【請求項６】
片開き戸及び引き戸が天井までの高さであることを特徴とする請求項１、２、３、４又は５記載の壁に備え付けの収納庫の開口部構造。
【考案の詳細な説明】
【技術分野】
【０００１】
本考案は、開き戸と引き戸を組み合わせて開口部の幅を広く開けることができる壁に備え付けの収納庫の開口部構造に関する。
【背景技術】
【０００２】
衣類、寝具、書籍などの収納物を、戸を開いて形成した開口部から出し入れする壁に備え付けの収納庫が利用されている。
【０００３】
収納庫において、収納物の出し入れは戸を開閉して行われる。通常、２枚の開き戸を中央から両開きする収納庫の場合は、２枚の開き戸を開けば、開口部の幅は２枚の開き戸の幅を合わせた幅となり、幅の広い開口部ができる。
【０００４】
また、図４（ａ）に示すように、戸が二枚の引き戸４１ａ，４１ｂからなる引き違い戸の場合、図４（ｂ）に示すように、片方の引き戸４１ｂをレール４２の上を移動させて開いたときに形成される開口部４３の幅は、開いた１枚の引き戸４１ｂの幅でしかないので、大きい収納物の出し入れに手間がかかる。
【０００５】
また、図５に示すように、引き戸を開いた際に、開口部の幅を広くして大きい収納物の出し入れを容易にするため、３枚以上の複数の引き戸５１ａ，５１ｂ，５１ｃを、異なるレール５２ａ，５２ｂ，５２ｃ上を移動させて片側に寄せることにより、２枚の引き戸の場合に比べて開口部５３を大きく開くことができる収納庫の開口部構造が提案されている（特許文献１参照）。
【特許文献１】特開平１０−２８０８０８号公報
【考案の開示】
【考案が解決しようとする課題】
【０００６】
中央で両開きする開き戸の場合、天井まで収納部を設けたい場合、大きい収納物の出し入れがしやすいように開き戸も高くなるが、照明器具のカサが壁の近くに配置されている場合には、開き戸が照明器具のカサに邪魔されて全開できないので、開き戸が低くなり大きい収納物の出し入れがしにくくなるという欠点がある。
【０００７】
また、３枚以上の引き戸を異なるレール上を引き違いに配置する場合、図４あるいは図５に示すように、レールの本数が増えるとともにレールの設置奥行き（ｗ）が大きくなり、引き戸の厚みの幅分だけ収納部の奥行き（Ｌ）が狭くなって広く使えず、収納容積が小さくなるという欠点がある。
【０００８】
そこで、本考案は、戸を開いた際に開口部を広く形成して収納物の出し入れがし易くなるとともに、収納庫の奥行きを狭くすることなく天井まで収納部を形成することができる壁に備え付けの収納庫の開口部構造を提供するものである。
【課題を解決するための手段】
【０００９】
本考案の収納庫は、壁に備え付けの収納庫の両側にそれぞれ外側に開く片開き戸が設けられ、片開き戸との間に引き戸が配置される収納庫の開口部構造であって、前記片開き戸及び前記引き戸は閉めた際に表側が面一になるように配置され、前記引き戸は前記片開き戸が開いた際に収納庫の両側へ移動可能に設けられていることを特徴とする。
【考案の効果】
【００１０】
引き戸を一本のレールで移動させ且つ片開き戸と引き戸の表面が面一なので、戸とレールによって収納庫の奥行きを狭くすることがなく、また、一本のレールなので、数本のレールに比べて見映えもよい。
【００１１】
照明器具が中央にあっても片開き戸がぶつかることがなく全開可能となるので、収納部を天井いっぱい使用することが可能となり、且つ収納物の出し入れが容易になる。
【００１２】
片開き戸と引き戸の表面が面一で、戸の端どうしの隙間を小さくしているので、見映えがよく、ごみやゴキブリなどが入り込むのを防ぐことができる。
【００１３】
片開き戸と引き戸の端部に係止部材を設けることにより地震などのゆれに対して戸が開きにくくなり、収納部から収納物が飛び出るのを防ぐことができる。
【考案を実施するための最良の形態】
【００１４】
本考案の実施例を図面を用いて説明する。
【実施例】
【００１５】
図１（ａ）は本考案の収納庫の一実施例を示す斜視図、（ｂ）は概略断面図である。図２（ａ）は引き戸とレールを示す断面図、（ｂ）及び（ｃ）は戸の継ぎ目を示す断面図である。
【００１６】
図１において、壁１に備え付けの収納庫を開閉する戸は、片開き戸２ａ，２ｂと引き戸３ａ，３ｂの組合せからなる。本実施例の収納庫は、その両側にそれぞれの両端を中心にして外側に開く一対の片開き戸２ａ，２ｂが設けられ、その片開き戸２ａ，２ｂとの間に２枚の引き戸３ａ，３ｂが配置されている。なお、本実施例では、２枚の引き戸を配置しているが、収納庫の幅や収納部の仕切り間隔に応じて、１枚の引き戸でも、あるいは３枚以上の引き戸を配置してもよい。
【００１７】
引き戸３ａ，３ｂは、図２（ａ）に示すように、１本のレール４の上を移動可能に配置し、片開き戸２ａ，２ｂを開けた際に、引き戸３ａ，３ｂが収納庫の両側へ移動できるようにに収納庫の幅全体に設ける。レール４は片開き戸２ａ，２ｂを閉める際に、片開き戸２ａ，２ｂの下がまちの下縁がレール４に当たらないように設ける。レール４が一本なのでレール４の設置奥行き（ｗ）が小さくて済むため、収納部の奥行き（Ｌ）が狭くならずに広く使うことができる。なお、引き戸３ａ，３ｂの移動は、レールに限られず、敷居の溝を移動するようにしてもよい。
【００１８】
一本のレール４上に配置される引き戸３ａ，３ｂは、突き合わせにより表側が面一になり、さらに、片開き戸２ａ，２ｂは、閉めた際に表側が引き戸３ａ，３ｂと面一になるように収納庫の両側に取り付ける。片開き戸２ａ，２ｂと引き戸３ａ，３ｂとを面一にすることにより、戸を閉めているときに、に片開き戸２ａ，２ｂと引き戸３ａ，３ｂ、あるいは引き戸３ａ，３ｂどうしが移動して隙間ができるのを防止することができ、また、きちんと閉まっているので見映えもよい。
【００１９】
片開き戸２ａ，２ｂ及び引き戸３ａ，３ｂの端部は、図２（ｂ）に示すように、閉めた際に重なるように互い違いの段部５を設ける。なお、段部にパッキン６を設けると、より段部を密着させることができる。また、図２（ｃ）に示すように、パッキン６を設けることにより、端部間の隙間を小さくしてごみやゴキブリなどが入るのを防止する。パッキンは開きやすいように外側に取り付けてもよい。
【００２０】
片開き戸２ａ，２ｂ及び引き戸３ａ，３ｂの対向する端部には係止部材、例えば、掛け金と受け座を設けて戸どうしを固定することにより地震などのゆれに対して片開き戸２ａ，２ｂ及び引き戸３ａ，３ｂが開きにくくなり、収納部から収納物が飛び出るのを防ぐことができる。
【００２１】
次ぎに本考案の収納庫の使用方法について説明する。図３は本考案の収納庫の使用状態を示す概略断面図である。
【００２２】
図１（ａ）において、片開き戸２ａ，２ｂ及び引き戸３ａ，３ｂが閉まった状態である。この状態で収納庫から開き戸２ａ，２ｂあるいは引き戸３ａ，３ｂの幅より大きい収納物を収納庫に出し入れする際、図３（ａ）に示すように、まず両側の片開き戸２ａ，２ｂを外側に開ける。
【００２３】
次いで、収納庫の右側の収納部で出し入れを行う場合、図３（ｂ）に示すように、二つの引き戸３ａ，３ｂを収納庫の左側へ寄せる。こうして、収納庫の左側に引き戸３ａ，３ｂの二枚分の幅の広い開口部７が形成され、１枚の開き戸２ａ，２ｂあるいは引き戸３ａ，３ｂの幅より大きい長さの収納物の出し入れが可能となる。
【００２４】
逆に、収納庫の左側で出し入れを行う場合も前記と同様の手順で二つの引き戸３ａ，３ｂを右側に寄せて幅の広い開口部７を形成することができる。
【００２５】
収納庫の中央に開口部７を形成する場合は、図３（ａ）に示すように、まず両側の片開き戸２ａ，２ｂを外側に開ける。次いで、図３（ｃ）に示すように一方の引き戸３ａを左側に寄せ、他方の引き戸３ｂを右側に寄せることにより、収納庫の中央に幅の広い開口部７を形成することができる。
【図面の簡単な説明】
【００２６】
【図１】（ａ）は本考案の収納庫の一実施例を示す斜視図、（ｂ）は概略断面図である。
【図２】（ａ）は引き戸とレールを示す断面図、（ｂ）及び（ｃ）は戸の継ぎ目を示す断面図である。
【図３】本考案の収納庫の使用状態を示す概略断面図である。
【図４】従来の収納庫の開口部構造の一例を示す概略断面図である。
【図５】従来の収納庫の開口部構造の別の例を示す概略断面図である。
【符号の説明】
【００２７】
１：壁
２ａ，２ｂ：片開き戸
３ａ，３ｂ：引き戸
４：レール
５：段部
６：パッキン
７：開口部
４１ａ，４１ｂ：引き戸
４２：レール
４３：開口部
５１ａ，５１ｂ，５１ｃ：引き戸
５２ａ，５２ｂ，５２ｃ：レール
５３：開口部
ｗ：レールの設置奥行き
Ｌ：収納部の奥行き
【図１】
0003113636.tif 000003
【図２】
0003113636.tif 000004
【図３】
0003113636.tif 000005
【図４】
0003113636.tif 000006
【図５】
0003113636.tif 000007